(57)【要約】【課題】一般のトラック１の荷台２に前記圧着部材４を介して箱形の建物ユニットまたはコンテナなどの荷物３を載置させ、輸送作業性の向上並びに輸送コストの低減などを行う。【解決手段】トラック１の荷台２上面に負圧吸着させる圧着部材４を荷物３下面に設けると共に、前記圧着部材４の負圧吸着を解除させる通気バルブ１９を圧着部材４に設けることを特徴とする。【選択図】      図５
2004182190.tif 000002
【特許請求の範囲】
【請求項１】
トラックの荷台上面に負圧吸着させる圧着部材を荷物下面に設けると共に、前記圧着部材の負圧吸着を解除させる通気バルブを圧着部材に設けることを特徴とする荷物載せ装置。
【請求項２】
荷物に圧着部材を連結させる連結部に通気バルブを設けると共に、荷台に接合させる摩擦体を圧着部材に設けることを特徴とする請求項１に記載の荷物載せ装置。
【発明の詳細な説明】
【０００１】
【発明の属する技術分野】
本発明は例えば箱形の建物ユニットまたは貨物コンテナ等をトラックの荷台に固定させる荷物載せ装置に関する。
【０００２】
【従来の技術】
従来、トラックの荷台に開口させる逆円錐台形の孔によって位置決め部材を形成し、荷物の下面に嵌合部材を設け、位置決め部材と嵌合部材の係合によって荷物を荷台に固定させる技術がある。（特許文献１参照）
【０００３】
【特許文献１】特開２００１−１３８７９８
【０００４】
【発明が解決しようとする課題】
前記従来技術は、嵌合部材を係合させる逆円錐台形の孔をトラックの荷台に形成することにより、荷台を特別に加工する必要があり、トラックの荷台が特殊な構造に構成される不具合があると共に、特定の荷物を輸送する専用車両としてトラックを使用する必要があり、一般のトラックの荷台を使用することができない不具合があり、輸送コストの低減などを容易に行い得ない等の問題がある。
【０００５】
【課題を解決するための手段】
然るに、本発明は、請求項１に示す如く、トラックの荷台上面に負圧吸着させる圧着部材を荷物下面に設けると共に、前記圧着部材の負圧吸着を解除させる通気バルブを圧着部材に設けるもので、前記圧着部材の吸着力を利用してトラックの荷台に荷物を固定させるから、荷台の孔に嵌込む従来の嵌合部材などが不要になり、従来のように荷台を特別に加工する必要がなく、一般のトラックの荷台に前記圧着部材を介して箱形の建物ユニットまたはコンテナなどの荷物を容易に載置し得、輸送作業性の向上並びに輸送コストの低減などを容易に行い得るものである。
【０００６】
また、請求項２に示す如く、荷物に圧着部材を連結させる連結部に通気バルブを設けると共に、荷台に接合させる摩擦体を圧着部材に設けるもので、前記通気バルブを連結部に設けることにより、通気バルブの取付け構造の簡略化、並びに圧着部材の圧着機能の向上などを容易に行い得ると共に、荷台上面の荷物の垂直方向の移動を圧着部材によって阻止し乍ら、荷物の水平方向の移動を摩擦体によって阻止させるから、圧着部材の小型化並びに荷物の支持力の向上などを容易に行い得るものである。
【０００７】
【発明の実施の形態】
以下、本発明の実施例を図面に基づいて詳述する。図１はトラックの側面図、図２はトラックの荷台の平面図、図３は同背面図であり、トラック１の荷台２上面に載せる例えば建物ユニットまたはコンテナ等の四角箱形の荷物３の四隅の下面に圧着部材４を設けるもので、図４及び図５に示すように、鉄合金製の圧着ベース５に合成ゴム製の吸盤体６を溶着固定させ、荷台２に吸着させる吸盤体６の接着面に輪形の除塵溝７を形成すると共に、補強用のスプリング性刃鋼材８を吸盤体６に埋込み、前記圧着部材４を構成している。
【０００８】
また、前記吸盤体６によって形成する低圧室９の圧着ベース５を下向きに突出させて円筒形の摩擦体１０を一体形成し、ローレット加工などによって四角錐形の多数の歯１１を摩擦体１０下面に形成し、前記荷台２上面に吸盤体６を吸着させることにより、摩擦体１０の歯１１形成面が荷台２に圧着されるもので、吸盤体６の吸着力によって荷台２の上方側（垂直方向）に圧着部材４が離れるのを阻止する一方、摩擦体１０の歯１１の摩擦力によって荷台２の左右または前後（水平方向）に圧着部材４が移動するのを阻止する。
【０００９】
さらに、前記荷物３下面の支脚フレーム１２に、ゴムパッキン１３・１４を介して取付ボルト１５とナット１６とにより、圧着ベース５を着脱自在に締付け固定させると共に、緩み止め用バネ１７を巻装させる開閉ネジ１８に通気バルブ１９を設け、取付ボルト１５の軸芯孔２０に開閉ネジ１８を出入自在に螺入させ、前記ネジ１８によって軸芯孔２０を閉塞して吸盤体６を荷台２上面に吸着させる一方、前記ネジ１８の螺出によって軸芯孔２０を開放させ、低圧室９の負圧を解除し、荷台２に対する吸盤体６の吸着力を略零にするように構成している。
【００１０】
上記から明らかなように、トラック１の荷台２上面に負圧吸着させる圧着部材４を荷物３下面に設けると共に、前記圧着部材４の負圧吸着を解除させる通気バルブ１９を圧着部材４に設け、前記圧着部材４の吸着力を利用してトラック１の荷台２に荷物３を固定させ、荷台２の孔に嵌込む従来の嵌合部材などが不要になり、従来のように荷台２を特別に加工する必要がなく、一般のトラック１の荷台２に前記圧着部材４を介して箱形の建物ユニットまたはコンテナなどの荷物３を載置させ、輸送作業性の向上並びに輸送コストの低減などを行う。
【００１１】
また、荷物３に圧着部材４を連結させる連結部である取付ボルト１５に通気バルブ１９を設けると共に、荷台２に接合させる摩擦体１０を圧着部材４に設け、前記通気バルブ１９を取付ボルト１５に設け、通気バルブ１９の取付け構造の簡略化、並びに圧着部材４の圧着機能の向上などを行うと共に、荷台２上面の荷物３の垂直方向の移動を圧着部材４によって阻止し乍ら、荷物３の水平方向の移動を摩擦体１０によって阻止させ、圧着部材４の小型化並びに荷物３の支持力の向上などを行う。
【００１２】
さらに、図６乃至図１０は、上記摩擦体１０を省いた変形例を示すもので、図６は、上記と同様に、取付ボルト１５に通気バルブ１９を設ける構造である。また、図７及び図８は、圧着ベース５に通気孔２１を形成し、バネ２２によって通気バルブ１９を閉支持させ、吸盤体６の低圧室９を負圧に保ち、吸盤体６を荷台２上面に吸着させる一方、レバー２３によって通気バルブ１９を開操作し、通気孔２１を介して低圧室９を開放させ、吸盤体６の吸着を解除する。また、図９及び図１０は、通気孔２１を形成するバルブ本体２４を吸盤体６に、合成樹脂成形加工のときに埋込むもので、図７の構造に比べ、圧着ベース５の加工を容易に行える。
【００１３】
さらに、図１１は、摩擦体１０の下面に形成するローレット加工の歯１１に代え、摩擦体１０の下面にドーナツ板形のブレーキシュー２５を貼付け固定させたもので、吸盤体６を荷台２上面に吸着させたとき、摩擦体１０のブレーキシュー２５を荷台２上面に圧着させ、ブレーキシュー２５の摩擦抵抗によって荷物３の左右または前後（水平方向）の移動を阻止することも行える。
【００１４】
さらに、図１２は、圧着部材４を建物の免振土台２６として兼用するもので、コンクリート基礎２７に台板２８を介してゴム製受圧台２９を固定させ、受圧台２９の円錐台形部３０を吸盤体６の低圧室９に下方から嵌入させ、受圧台２９の円柱形頭部３１を圧着ベース５の円筒部の内孔３２に下方から嵌入させ、荷物３である建物ユニットを、建築場所のコンクリート基礎２７に、圧着部材４と受圧台２９によって形成する免振土台２６を用いて設置させ、建物ユニットを免振構造に構成することも行える。
【００１５】
【発明の効果】
以上実施例から明らかなように本発明は、請求項１に示す如く、トラック１の荷台２上面に負圧吸着させる圧着部材４を荷物３下面に設けると共に、前記圧着部材４の負圧吸着を解除させる通気バルブ１９を圧着部材４に設けるもので、前記圧着部材４の吸着力を利用してトラック１の荷台２に荷物３を固定させるから、荷台２の孔に嵌込む従来の嵌合部材などが不要になり、従来のように荷台２を特別に加工する必要がなく、一般のトラック１の荷台２に前記圧着部材４を介して箱形の建物ユニットまたはコンテナなどの荷物３を容易に載置させることができ、輸送作業性の向上並びに輸送コストの低減などを容易に行うことができるものである。
【００１６】
また、請求項２に示す如く、荷物３に圧着部材４を連結させる連結部１５に通気バルブ１９を設けると共に、荷台２に接合させる摩擦体１０を圧着部材４に設けるもので、前記通気バルブ１９を連結部１５に設けることにより、通気バルブ１９の取付け構造の簡略化、並びに圧着部材４の圧着機能の向上などを容易に行うことができると共に、荷台２上面の荷物３の垂直方向の移動を圧着部材４によって阻止し乍ら、荷物３の水平方向の移動を摩擦体１０によって阻止させるから、圧着部材４の小型化並びに荷物３の支持力の向上などを容易に行うことができるものである。
【図面の簡単な説明】
【図１】トラックの側面図。
【図２】トラックの荷台の平面図。
【図３】同背面図。
【図４】荷台に荷物を載せた部分側面図。
【図５】圧着部材の正面図。
【図６】変形例を示す正面図。
【図７】変形例を示す正面図。
【図８】図７の平面図。
【図９】変形例を示す正面図。
【図１０】図９の平面図。
【図１１】変形例を示す正面図。
【図１２】建物ユニットの設置説明図。
【符号の説明】
１    トラック
２    荷台
３    荷物
４    圧着部材
１０  摩擦体
１５  取付ボルト（連結部）
１９  通気バルブ
【図１】
2004182190.tif 000003
【図２】
2004182190.tif 000004
【図３】
2004182190.tif 000005
【図４】
2004182190.tif 000006
【図５】
2004182190.tif 000007
【図６】
2004182190.tif 000008
【図７】
2004182190.tif 000009
【図８】
2004182190.tif 000010
【図９】
2004182190.tif 000011
【図１０】
2004182190.tif 000012
【図１１】
2004182190.tif 000013
【図１２】
2004182190.tif 000014